(57)【要約】【課題】入力された映像信号に基づいて表示画面の水平方向および垂直方向それぞれの負荷を検出し、高画質化を図ることが可能な映像信号処理装置、プログラム、および表示装置を提供する。【解決手段】入力された映像信号に基づいて、水平方向の一ラインの画素ごとに映像信号を補正するための第１補正値を画素ごとに導出する第１補正値導出部と、入力された映像信号に基づいて、垂直方向の一ラインの画素ごとに映像信号を補正するための第２補正値を画素ごとに導出する第２補正値導出部と、第１補正値および第２補正値に基づいて、映像を表示する表示画面を構成する画素ごとに映像信号を補正するための第３補正値を画素ごとに導出する第３補正値導出部と、第３補正値に基づいて入力された映像信号を補正する信号補正部とを備える映像信号処理装置が提供される。【選択図】図１３
2010039046.tif 000002
【特許請求の範囲】
【請求項１】
入力された映像信号に基づいて、水平方向の一ラインの画素ごとに映像信号を補正するための第１補正値を、画素ごとに導出する第１補正値導出部と、
入力された前記映像信号に基づいて、垂直方向の一ラインの画素ごとに映像信号を補正するための第２補正値を、画素ごとに導出する第２補正値導出部と、
前記第１補正値および前記第２補正値に基づいて、映像を表示する表示画面を構成する画素ごとに映像信号を補正するための第３補正値を、画素ごとに導出する第３補正値導出部と、
前記第３補正値に基づいて入力された前記映像信号を補正する信号補正部と、
を備えることを特徴とする、映像信号処理装置。
【請求項２】
前記第１補正値導出部は、
入力された前記映像信号に基づいて、水平方向の一ラインの画素ごとにかかる負荷を検出する水平方向負荷検出部と、
前記水平方向負荷検出部における検出結果に基づいて、前記第１補正値を導出する水平方向補正値導出部と、
を備えることを特徴とする、請求項１に記載の映像信号処理装置。
【請求項３】
前記第２補正値導出部は、
入力された前記映像信号に基づいて、垂直方向の一ラインの画素ごとにかかる負荷を検出する垂直方向負荷検出部と、
前記垂直方向負荷検出部における検出結果に基づいて、前記第２補正値を導出する垂直方向補正値導出部と、
を備えることを特徴とする、請求項１、または２に記載の映像信号処理装置。
【請求項４】
前記第３補正値導出部は、前記第１補正と前記第２補正値とを画素ごとに乗算して前記第３補正値を導出することを特徴とする、請求項１〜３に記載の映像信号処理装置。
【請求項５】
入力された映像信号に基づいて、水平方向の一ラインの画素ごとに映像信号を補正するための第１補正値を、画素ごとに導出するステップ、
入力された前記映像信号に基づいて、垂直方向の一ラインの画素ごとに映像信号を補正するための第２補正値を、画素ごとに導出するステップ、
前記第１補正値および前記第２補正値に基づいて、映像を表示する表示画面を構成する画素ごとに映像信号を補正するための第３補正値を、画素ごとに導出するステップ、
前記第３補正値に基づいて入力された前記映像信号を補正するステップ、
をコンピュータに実行させるためのプログラム。
【請求項６】
入力された映像信号を補正する映像信号補正部と、
マトリクス状に配置された複数の画素を有し、前記映像信号補正部において補正された映像信号に基づく映像を表示画面に表示する映像表示部と、
を備え、
前記映像信号補正部は、
入力された前記映像信号に基づいて、水平方向の一ラインの画素ごとに映像信号を補正するための第１補正値を、画素ごとに導出する第１補正値導出部と、
入力された前記映像信号に基づいて、垂直方向の一ラインの画素ごとに映像信号を補正するための第２補正値を、画素ごとに導出する第２補正値導出部と、
前記第１補正値および前記第２補正値に基づいて、前記表示画面を構成する画素ごとに映像信号を補正するための第３補正値を、画素ごとに導出する第３補正値導出部と、
前記第３補正値に基づいて入力された前記映像信号を補正する信号補正部と、
を備えることを特徴とする、表示装置。
【請求項７】
マトリクス状に配置された複数の画素を有し、入力された映像信号に基づく補正値に基づいて、入力された前記映像信号から前記画素に印加するデータ電圧への変換を規定するオフセット値を変更し、入力された前記映像信号に基づく映像を表示画面に表示する映像表示部と、
入力された前記映像信号に基づいて前記補正値を導出する補正値導出部と、
を備え、
前記補正値導出部は、
入力された前記映像信号に基づいて、水平方向の一ラインの画素ごとに映像信号を補正するための第１補正値を、画素ごとに導出する第１補正値導出部と、
入力された前記映像信号に基づいて、垂直方向の一ラインの画素ごとに映像信号を補正するための第２補正値を、画素ごとに導出する第２補正値導出部と、
前記第１補正値および前記第２補正値に基づいて、前記表示画面を構成する各画素に対応するオフセット値を設定させるための前記補正値を、画素ごとに導出する第３補正値導出部と、
を備えることを特徴とする、表示装置。
【発明の詳細な説明】
【技術分野】
【０００１】
本発明は、映像信号処理装置、プログラム、および表示装置に関する。
【背景技術】
【０００２】
近年、ＣＲＴディスプレイ（Cathode  Ray  Tube  display）に替わる表示装置として、有機ＥＬディスプレイ（organic  ElectroLuminescence  display。または、ＯＬＥＤディスプレイ（Organic  Light  Emitting  Diode  display）ともよばれる。）や、ＦＥＤ（Field  Emission  Display。電界放出ディスプレイ）、ＬＣＤ（Liquid  Crystal  Display。液晶ディスプレイ）、ＰＤＰ（Plasma  Display  Panel。プラズマディスプレイ）など様々な表示装置が開発されている。
【０００３】
上記のような様々な表示装置のうち、有機ＥＬディスプレイは、エレクトロルミネッセンス現象（ElectroLuminescence）を利用した自発光型の表示装置である。有機ＥＬディスプレイは、例えば、ＬＣＤのように別途の光源を必要とする表示装置と比較すると、動画特性、視野角特性、色再現性などが優れていることから、次世代の表示装置として特に注目されている。ここで、エレクトロルミネッセンス現象とは、物質（有機ＥＬ素子）の電子状態が、電界によって基底状態（ground  state）から励起状態（excited  state）へ変化し、不安定な励起状態から安定した基底状態へと戻るときに、差分のエネルギーが光として放出される現象である。
【０００４】
上記のような表示装置は、一般的に、マトリクス（matrix）方式で駆動し映像を表示画面に表示する。例えば、上記表示装置は、マトリクス状（行列状）に配置された複数の画素を備え、各画素には、映像信号に応じたデータ電圧（データ信号）が印加されるデータ線と、当該データ電圧を選択的に印加するための選択電圧（選択信号）が印加される走査線とが接続される。そして、上記表示装置は、各画素にデータ電圧および選択電圧を選択的に印加することによって、表示画面に映像信号に応じた画像を表示させる。
【０００５】
上記のようにマトリクス方式で表示画面に映像を表示する表示装置では、表示画面の一部分において、映像信号が示す本来の輝度が維持されずに輝度が低下することがある。上記の現象は、例えば、走査線などの信号線（電極）における配線インピーダンス（電極インピーダンス）などの影響によって電圧降下が生じることによって起こりうる。
【０００６】
このような中、入力された映像信号に基づいて水平方向の１ラインごとに負荷を検出し、検出結果に基づいて映像信号を補正する技術が開発されている。上記技術としては、例えば、特許文献１、および特許文献２が挙げられる。
【０００７】
【特許文献１】特開２００８−１４５８８０号公報
【特許文献２】特開２００５−６２３３７号公報
【発明の開示】
【発明が解決しようとする課題】
【０００８】
入力された映像信号に基づいて水平方向の１ラインごとに負荷を検出し、検出結果に基づいて映像信号を補正する従来の技術（以下、単に「従来の技術」とよぶ場合がある。）を用いた表示装置（以下、「従来の表示装置」という。）は、入力された映像信号に基づいて負荷を検出して映像信号を補正する。よって、従来の表示装置は、各種信号線（電極）における配線インピーダンスなどの影響によって電圧降下が生じたとしても、当該電圧降下による輝度の低下を（ある程度）防止することができる。ここで、マトリクス方式で表示画面に映像を表示する表示装置における輝度低下の要因は、表示画面の水平方向に配置される信号線（例えば、走査電圧が印加される走査線）における電圧降下に限られない。例えば、マトリクス方式で表示画面に映像を表示する表示装置では、表示画面の垂直方向に配置される信号線（例えば、データ電圧が印加されるデータ線）や、各画素に駆動電圧を印加する電源供給線においても電極インピーダンスの影響によって、電圧降下が生じうる。しかしながら、従来の表示装置は、表示画面の水平方向（例えば、走査電圧が印加される走査線の方向）の負荷のみを検出し、当該検出結果に応じて映像信号を補正しているに過ぎない。つまり、従来の表示装置では、例えば、表示画面の垂直方向に配置される信号線において生じる電圧降下の影響について何らの対応もとっていない。したがって、従来の技術を用いたとしても輝度の低下が生じる場合があることから、従来の表示装置では、高画質化を十分に図ることができない。
【０００９】
本発明は、上記問題に鑑みてなされたものであり、本発明の目的とするところは、入力された映像信号に基づいて表示画面の水平方向および垂直方向それぞれの負荷を検出し、高画質化を図ることが可能な、新規かつ改良された映像信号処理装置、プログラム、および表示装置を提供することにある。
【課題を解決するための手段】
【００１０】
上記目的を達成するために、本発明の第１の観点によれば、入力された映像信号に基づいて、水平方向の一ラインの画素ごとに映像信号を補正するための第１補正値を、画素ごとに導出する第１補正値導出部と、入力された上記映像信号に基づいて、垂直方向の一ラインの画素ごとに映像信号を補正するための第２補正値を、画素ごとに導出する第２補正値導出部と、上記第１補正値および上記第２補正値に基づいて、映像を表示する表示画面を構成する画素ごとに映像信号を補正するための第３補正値を、画素ごとに導出する第３補正値導出部と、上記第３補正値に基づいて入力された上記映像信号を補正する信号補正部とを備える映像信号処理装置が提供される。
【００１１】
上記映像信号処理装置は、入力された映像信号に基づいて表示画面の水平方向および垂直方向それぞれの負荷を検出し、検出結果に応じた補正値（第３補正値）によって映像信号を補正することができる。よって、かかる構成により、入力された映像信号に基づいて表示画面の水平方向および垂直方向それぞれの負荷を検出し、高画質化を図ることができる。
【００１２】
また、上記第１補正値導出部は、入力された上記映像信号に基づいて、水平方向の一ラインの画素ごとにかかる負荷を検出する水平方向負荷検出部と、上記水平方向負荷検出部における検出結果に基づいて、上記第１補正値を導出する水平方向補正値導出部とを備えてもよい。
【００１３】
かかる構成により、水平方向の負荷を検出し、検出結果に応じた補正値（第１補正値）を導出することができる。
【００１４】
また、上記第２補正値導出部は、入力された上記映像信号に基づいて、垂直方向の一ラインの画素ごとにかかる負荷を検出する垂直方向負荷検出部と、上記垂直方向負荷検出部における検出結果に基づいて、上記第２補正値を導出する垂直方向補正値導出部とを備えてもよい。
【００１５】
かかる構成により、垂直方向の負荷を検出し、検出結果に応じた補正値（第２補正値）を導出することができる。
【００１６】
また、上記第３補正値導出部は、上記第１補正と上記第２補正値とを画素ごとに乗算して上記第３補正値を導出してもよい。
【００１７】
かかる構成により、水平方向における負荷に基づく第１補正値と、垂直方向における負荷に基づく第２補正値とから、画素ごとに映像信号を補正するための第３補正値を導出することができる。
【００１８】
上記目的を達成するために、本発明の第２の観点によれば、入力された映像信号に基づいて、水平方向の一ラインの画素ごとに映像信号を補正するための第１補正値を、画素ごとに導出するステップ、入力された上記映像信号に基づいて、垂直方向の一ラインの画素ごとに映像信号を補正するための第２補正値を、画素ごとに導出するステップ、上記第１補正値および上記第２補正値に基づいて、映像を表示する表示画面を構成する画素ごとに映像信号を補正するための第３補正値を、画素ごとに導出するステップ、上記第３補正値に基づいて入力された上記映像信号を補正するステップをコンピュータに実行させるためのプログラムが提供される。
【００１９】
かかるプログラムを用いることにより、入力された映像信号に基づいて表示画面の水平方向および垂直方向それぞれの負荷を検出し、高画質化を図ることができる。
【００２０】
上記目的を達成するために、本発明の第３の観点によれば、入力された映像信号を補正する映像信号補正部と、マトリクス状に配置された複数の画素を有し、上記映像信号補正部において補正された映像信号に基づく映像を表示画面に表示する映像表示部とを備え、上記映像信号補正部は、入力された上記映像信号に基づいて、水平方向の一ラインの画素ごとに映像信号を補正するための第１補正値を、画素ごとに導出する第１補正値導出部と、入力された上記映像信号に基づいて、垂直方向の一ラインの画素ごとに映像信号を補正するための第２補正値を、画素ごとに導出する第２補正値導出部と、上記第１補正値および上記第２補正値に基づいて、上記表示画面を構成する画素ごとに映像信号を補正するための第３補正値を、画素ごとに導出する第３補正値導出部と、上記第３補正値に基づいて入力された上記映像信号を補正する信号補正部とを備える表示装置が提供される。
【００２１】
かかる構成により、入力された映像信号に基づいて表示画面の水平方向および垂直方向それぞれの負荷を検出し、高画質化を図ることができる。
【００２２】
上記目的を達成するために、本発明の第４の観点によれば、マトリクス状に配置された複数の画素を有し、入力された映像信号に基づく補正値に基づいて、入力された上記映像信号から上記画素に印加するデータ電圧への変換を規定するオフセット値を変更し、入力された上記映像信号に基づく映像を表示画面に表示する映像表示部と、入力された上記映像信号に基づいて上記補正値を導出する補正値導出部とを備え、上記補正値導出部は、入力された上記映像信号に基づいて、水平方向の一ラインの画素ごとに映像信号を補正するための第１補正値を、画素ごとに導出する第１補正値導出部と、入力された上記映像信号に基づいて、垂直方向の一ラインの画素ごとに映像信号を補正するための第２補正値を、画素ごとに導出する第２補正値導出部と、上記第１補正値および上記第２補正値に基づいて、上記表示画面を構成する各画素に対応するオフセット値を設定させるための上記補正値を、画素ごとに導出する第３補正値導出部とを備える表示装置が提供される。
【００２３】
かかる構成により、入力された映像信号に基づいて表示画面の水平方向および垂直方向それぞれの負荷を検出し、高画質化を図ることができる。
【発明の効果】
【００２４】
本発明によれば、入力された映像信号に基づいて表示画面の水平方向および垂直方向それぞれの負荷を検出し、高画質化を図ることができる。
【発明を実施するための最良の形態】
【００２５】
以下に添付図面を参照しながら、本発明の好適な実施の形態について詳細に説明する。なお、本明細書および図面において、実質的に同一の機能構成を有する構成要素については、同一の符号を付することにより重複説明を省略する。
【００２６】
なお、以下では、本発明の実施形態に係る表示装置として、発光素子に流れる電流に応じて発光する自発光型の表示装置である有機ＥＬディスプレイを例に挙げて説明する。なお、本発明の実施形態に係る表示装置は、有機ＥＬディスプレイに限られず、例えば、ＬＣＤなど画素がマトリクス状に配置された様々な表示装置に適用することができる。
【００２７】
（本発明の実施形態に係る高画質化を図るためのアプローチ）
本発明の実施形態に係る表示装置の構成について説明する前に、まず、本発明の実施形態に係る表示装置における高画質化を図るためのアプローチについて説明する。以下では、本発明の実施形態に係る表示装置を総称して「表示装置１０００」とよび、表示装置１０００を例に挙げて説明する。なお、以下に示す高画質化を図るためのアプローチは、後述する第１の実施形態に係る表示装置１００と、第２の実施形態に係る表示装置２００とにそれぞれ適用することができる。
【００２８】
（１）表示装置１０００において生じうる問題
表示装置１０００における高画質化を図るための具体的なアプローチについて説明する前に、まず、表示装置１０００において生じうる問題について説明する。
【００２９】
表示装置１０００が、発光素子として有機ＥＬ素子を備える場合、映像を表示画面に表示する表示パネルを構成する各画素は、例えば、発光素子と、当該発光素子と接続されて発光素子への発光電流の印加を制御するトランジスタ（以下、「駆動トランジスタ」という。）とを備える。図１は、本発明の実施形態に係る表示装置が備える画素回路の一例を示す説明図である。なお、図１では、画素回路が、２つの薄膜トランジスタ（Thin  Film  Transistor。以下、単に「トランジスタ」とよぶ。）と、１つのキャパシタＣ１と、発光素子Ｄ１とを備える構成を示すが、本発明の実施形態に係る画素回路は、上記に限られない。
【００３０】
図１を参照すると、本発明の実施形態に係る画素回路は、ｐ−チャネル型のトランジスタＴｒ１と、ｎ−チャネル型のトランジスタＴｒ２と、キャパシタＣ１と、発光素子Ｄ１とを備える。ここで、トランジスタＴｒ１は、発光素子Ｄ１への発光電流の印加を制御する役目を果たす。また、トランジスタＴｒ２は、映像信号に応じたデータ電圧ＶｄａｔａをトランジスタＴｒ１のゲート端子（制御端子）に選択的に印加するスイッチとしての役目を果たす。以下では、トランジスタＴｒ１を「駆動トランジスタＴｒ１」、トランジスタＴｒ２を「スイッチングトランジスタＴｒ２」とよぶ。
【００３１】
駆動トランジスタＴｒ１のドレイン端子（第１端子）は、発光素子ＬＥＤ１のアノードと接続され、ソース端子（第２端子）は、駆動電圧Ｖｃｃが印加される電源供給線に接続される。また、発光素子ＬＥＤ１のカソードは、共通電極（Ｃｏｍｍｏｎ電極）に接続される。ここで、図１では、共通電極の電圧レベルがグランドレベル（ＧＮＤ）である例を示しているが、上記に限られず、（各画素を駆動させることが可能な）任意の電圧レベルに設定することができる。また、表示装置１０００は、共通電極を、例えば、ＩＴＯ（Indium-Tin-Oxide。インジウム・スズ酸化物）などで構成された透明電極や、その他の金属で構成された電極で構成することができる。
【００３２】
キャパシタＣ１の一の端子は、電源供給線に接続され、他の端子は、駆動トランジスタＴｒ１のゲート端子（制御端子）に接続される。また、スイッチングトランジスタＴｒ２の第１端子は、データ電圧Ｖｄａｔａが印加されるデータ線と接続され、第２端子は、駆動トランジスタＴｒ１のゲート端子に接続される。そして、スイッチングトランジスタＴｒ２のゲート端子（制御端子）は、選択電圧Ｖｓｅｌｅｃｔが印加される走査線と接続される。よって、スイッチングトランジスタＴｒ２は、ゲート端子に印加される選択電圧Ｖｓｅｌｅｃｔに応じて、データ電圧Ｖｄａｔａを駆動トランジスタＴｒ１のゲート端子に印加する。
【００３３】
データ電圧Ｖｄａｔａがゲート端子に印加されることによって、駆動トランジスタＴｒ１のドレイン−ソース間には、ゲート端子に印加されるデータ電圧Ｖｄａｔａに応じた発光電流が流れ、発光素子Ｄ１には発光電流が印加される。したがって、画素回路では、発光素子Ｄ１が発光電流に応じた発光量で発光することとなる。ここで、図１に示す構成は、定電流駆動とよばれる。
【００３４】
なお、上記では、本発明の実施形態に係る画素回路として定電流駆動の構成を示したが、本発明の実施形態に係る画素回路は、上記に限られない。例えば、本発明の実施形態に係る画素回路は、ソースフォロア（またはドレイン接地）とよばれる構成とすることもできる。また、本発明の実施形態に係る画素回路は、ｎ−チャネル型のトランジスタを用いた駆動トランジスタや、ｐ−チャネル型のトランジスタを用いたスイッチングトランジスタで構成することもできる。
【００３５】
図１に示すように、表示装置１０００が備える各画素には、走査電圧Ｖｓｅｌｅｃｔが印加される走査線（走査電極）と、データ電圧Ｖｄａｔａが印加されるデータ線（データ電極）と、駆動電圧Ｖｃｃが印加される電源供給線（電源供給電極）とが接続される。ここで、表示装置１０００では、スキャンドライバが走査電圧Ｖｓｅｌｅｃｔを走査線に選択的に印加し、また、データドライバがデータ電圧Ｖｄａｔａをデータ線に選択的に印加する。より具体的には、表示装置１０００では、スキャンドライバにて選択された走査線に接続された画素に対して、データドライバから映像信号に応じたデータ電圧Ｖｄａｔａが印加される。そして、表示装置１０００では、一の走査線における各画素へのデータ電圧Ｖｄａｔａの印加（駆動トランジスタＴｒ２のゲート端子への印加）が完了すると、当該一の走査線に対する選択は終了し、スキャンドライバが他の走査線を選択する。上記のような処理を繰り返すことによって、表示装置１０００は、映像信号に応じた映像を表示画面に表示する。以下、表示装置１０００が備える各信号線（電極）において生じうる電圧降下とそれによって生じる問題の一例について説明する。
【００３６】
〔Ａ〕走査線（走査電極）
図２は、本発明の実施形態に係る表示装置１０００における走査線の構成の一例を説明するための説明図である。図２に示すように、表示装置１０００は、例えば、表示パネルの水平方向に複数の走査線を備え、各走査線はスキャンドライバに接続される。つまり、図２の例では、走査電圧Ｖｓｅｌｅｃｔは、表示パネルの左側から右側へと伝達される。よって、図２の例では、各走査線のインピーダンスは、表示パネルの右側程増加する。つまり、図２の例では、表示パネルの右側程、各走査線に印加される走査電圧Ｖｓｅｌｅｃｔの電圧降下は大きくなるといえる。なお、表示装置１０００の各画素では、図１に示すように、走査線から伝達される走査電圧ＶｓｅｌｅｃｔをスイッチングトランジスタＴｒ２のオン／オフに用いる。よって、仮に走査電圧Ｖｓｅｌｅｃｔの電圧降下が生じたとしても、走査電圧Ｖｓｅｌｅｃｔの電圧降下がスイッチングトランジスタＴｒ２のオン／オフに支障がないレベルであれば、走査電圧Ｖｓｅｌｅｃｔの電圧降下の影響は小さい。しかしながら、走査電圧Ｖｓｅｌｅｃｔの電圧降下がスイッチングトランジスタＴｒ２のオン／オフに支障があるレベルに達した場合には、走査電圧Ｖｓｅｌｅｃｔが画素に印加されたとしても、駆動トランジスタＴｒ１のゲート端子にデータ電圧Ｖｄａｔａを印加することはできない。よって、上記の場合には、画素は、発光素子を発光させることができないこととなる。
【００３７】
〔Ｂ〕データ線（データ電極）
図３は、本発明の実施形態に係る表示装置１０００におけるデータ線の構成の一例を説明するための説明図である。図３に示すように、表示装置１０００は、例えば、表示パネルの垂直方向に複数のデータ線を備え、各データ線はデータドライバに接続される。つまり、図３の例では、データ電圧Ｖｄａｔａは、表示パネルの上側から下側へと伝達される。よって、図３の例では、各データ線のインピーダンスは、表示パネルの下側程増加する。つまり、図３の例では、表示パネルの下側程、各データ線に印加されるデータ電圧Ｖｄａｔａの電圧降下は大きくなるといえる。ここで、表示装置１０００が、図１に示す画素回路によって各画素を構成する場合には、駆動トランジスタＴｒ１はｐ−チャネル型のトランジスタで構成される。よって、表示装置１０００が図１に示す画素回路によって各画素を構成する場合には、データ電圧Ｖｄａｔａの電圧降下によって、表示パネルの下側に位置する画素ほど、発光素子に本来印加されるべき発光電流の値よりも大きな発光電流が発光素子に印加される。したがって、上記の場合には、表示パネルの下側に位置する画素ほどより輝度が高くなるので画質の低下へと繋がり、さらに、発光素子により大きな電流が流れるので、発光素子の劣化速度が速まることとなる。なお、表示装置１０００が、ｎ−チャネル型のトランジスタによって各画素の駆動トランジスタＴｒ１を構成する場合には、例えば、表示パネルの下側に位置する画素ほどより輝度の低下が生じる。
【００３８】
〔Ｃ〕電源供給線（電源供給電極）
図４は、本発明の実施形態に係る表示装置１０００における電源供給線の構成の一例を説明するための説明図である。図４に示すように、表示装置１０００は、例えば、表示パネルの両側に共通の電源（駆動電源供給部）が接続され、表示パネルの水平方向に電源供給線が備えられる。図４の場合には、表示パネルの両側に共通の電源が接続されているので、表示パネルの中央部分のインピーダンスが最大となる。つまり、図４の場合には、表示パネルの中央部分程、電源供給線に印加される駆動電圧Ｖｃｃの電圧降下は大きくなる。ここで、表示装置１０００が図１に示す画素回路によって各画素を構成する場合において、駆動電圧Ｖｃｃの電圧降下が生じたときには、駆動トランジスタＴｒ１のゲート−ソース間電圧が下がることから発光素子に流れる発光電流が小さくなる。よって、表示装置１０００では、電源供給線において電圧降下が起こることによって、表示パネルの中央部分において輝度の低下が生じてしまう。
【００３９】
上記〔Ａ〕〜〔Ｃ〕に示すように、表示装置１０００では、各信号線（電極）において電圧降下が生じることによって、当該電圧降下に起因する様々な画質の低下が生じうる。ここで、各信号線（電極）におけるインピーダンスの低下量は、入力される映像信号に応じて（すなわち、映像信号が表す映像に応じて）変化する。そのため、各信号線（電極）におけるインピーダンスの低下量を、画素の位置のみに応じて一義的に定めることは困難である。
【００４０】
以下に画質の低下が生じる映像の具体例を示す。以下では、表示装置１０００が、図２〜図４に示す構成を備えているものとして説明する。なお、表示装置１０００が、例えば、データドライバを表示パネルの下部に供える場合には、上記〔Ｂ〕に示した事象が表示パネルの上部で生じうることは、言うまでもない。また、表示装置１０００が、例えば、スキャンドライバを表示パネルの右側に備える場合には、上記〔Ａ〕に示した事象は、表示パネルの左部で生じることとなる。さらに、表示装置１０００では、駆動電圧Ｖｃｃを電源供給線に印加する電源の数や位置などによって、表示パネルにおいて上記〔Ｃ〕に示す事象が生じうる部分は変化することは、言うまでもない。
【００４１】
〔Ｄ〕画質の低下が生じる具体例
図５は、本発明の実施形態に係る画質の低下を説明するための第１の説明図であり、図６は、本発明の実施形態に係る画質の低下を説明するための第２の説明図である。ここで、図５は、画質の低下が生じうる映像の一例を示しており、また、図６は、図５に示す映像を表す映像信号を表示画面に表示させた場合の一例を示している。なお、図６に示す例は、後述する本発明の実施形態に係る高画質化を図るためのアプローチを適用しない場合における表示例を示している。また、図６では、上記〔Ｂ〕および〔Ｃ〕において示した事象が生じた例を示している。
【００４２】
上述したように、図３に示すデータ線においては、表示パネルの下部程データ電圧Ｖｄａｔａの電圧降下が大きくなる。また、図４に示す電源供給線においては、表示パネルの中央部分程、駆動電圧Ｖｃｃの電圧降下は大きくなる。したがって、例えば図５に示す映像を示す映像信号を表示画面に表示させた場合には、図６に示すように、輝度が高い領域Ａ１、Ａ２（図６では、輝度が最大の領域を示している。）の下部に位置する領域Ｂ１、Ｂ２の輝度が高くなり、また、表示画面の中央部分の領域Ｃの輝度は低くなることが起こりうる。より具体的には、図６の水平方向のラインＬ１に着目すると、領域Ａ１、Ａ２によって駆動電圧Ｖｃｃの電圧降下が大きくなることによって、領域Ｃの輝度は低下している。また、垂直方向のラインＬ２、Ｌ３に着目すると、領域Ａ１、Ａ２によってデータ電圧Ｖｄａｔａの電圧降下が大きくなることによって発光電流が大きくなることから、領域Ｂ１、Ｂ２の輝度が高くなる。
【００４３】
ここで、データ電圧Ｖｄａｔａの電圧降下は表示パネルの下部程大きくなるが、図６に示すように、領域Ｂ１、Ｂ２以外の表示パネルの下部の領域の輝度は、領域Ｂ１、Ｂ２のように高くなっていない。これは、各信号線（電極）におけるインピーダンスの低下量は、入力される映像信号に応じて変化する（一定ではない）からである。なお、図６では示していないが、より厳密には、データ線や電源供給線などそれぞれにおいて生じる電圧降下によって、輝度の変化は生じうる。
【００４４】
図６に示すように、各信号線（電極）において各信号の電圧降下が生じた場合には、高画質化は望むべくもない。本発明の実施形態に係る表示装置１０００は、例えば、図６に示すような事象の発生の防止を図ることによって、高画質化を図る。そこで、次に、本発明の実施形態に係る高画質化を図るためのアプローチについて説明する。
【００４５】
（２）高画質化を図るためのアプローチ
表示装置１０００は、例えば、以下の〔Ｉ〕の処理〜〔ＩＶ〕の処理によって、高画質化を図る。図７は、本発明の実施形態に係る高画質化を図るためのアプローチを説明するための第１の説明図である。ここで、図７は図５と同様の映像を示している。
【００４６】
〔Ｉ〕水平方向の負荷に基づく第１補正値の導出
表示装置１０００は、入力された映像信号に基づいて、水平方向の一ラインの画素ごとに映像信号を補正するための第１補正値を、水平方向の一ラインの各画素ごとに導出する。ここで、本発明の実施形態に係る水平方向とは、例えば、表示装置１０００が備えるマトリクス状に配置された画素の行方向に対応する方向を指す。つまり、表示装置１０００が、図１に示す画素回路を各画素に備える場合には、水平方向は、走査線および電源供給線が備えられる方向に対応する。なお、表示装置１０００が、図１に示す画素回路を各画素に備える場合において、水平方向をデータ線が備えられる方向とすることができることは、言うまでもない。よって、本発明の実施形態に係る水平方向の一ラインとは、水平方向に並ぶ一行の画素群（さらには、当該画素群に属する画素に接続される水平方向の信号線（電極））に対応する。例えば、図７では、ラインＨ１、Ｈ２それぞれが、水平方向の一ラインに対応する。
【００４７】
また、本発明の実施形態に係る補正値（上記第１補正値、後述する第２補正値、および第３補正値）は、例えば、信号処理による映像信号の補正に用いることができる（後述する第１の実施形態に対応する。）が、上記に限られない。例えば、本発明の実施形態に係る補正値は、映像信号から画素に印加するデータ電圧Ｖｄａｔａへの変換を規定するオフセット値を変更するために用いることもできる（後述する第２の実施形態に対応する。）。
【００４８】
より具体的には、表示装置１０００は、以下の〔Ｉ−１〕の処理、および〔Ｉ−２〕の処理によって、第１補正値を導出する。以下では、図８、図９を適宜参照して説明する。
【００４９】
図８は、本発明の実施形態に係る高画質化を図るためのアプローチを説明するための第２の説明図である。ここで、図８（ａ）は、図７に示すラインＨ１における負荷を示しており、図８（ｂ）は、ラインＨ１において起こりうる輝度の低下の例を示している。また、図８（ｃ）は、図７に示すラインＨ１に対する第１補正値の一例を示している。なお、図８（ｂ）、図８（ｃ）は、説明の便宜上、誇張して表したものである。よって、図７に示すラインＨ１に対して表示装置１０００が導出する第１補正値は、図８（ｃ）に示す例に限られない。
【００５０】
また、図９は、本発明の実施形態に係る高画質化を図るためのアプローチを説明するための第３の説明図である。ここで、図９（ａ）は、図７に示すラインＨ２における負荷を示しており、図９（ｂ）は、ラインＨ２において起こりうる輝度の低下の例を示している。また、図９（ｃ）は、図７に示すラインＨ２に対する第１補正値の一例を示している。なお、図９（ｂ）、図９（ｃ）は、説明の便宜上、誇張して表したものである。よって、図７に示すラインＨ２に対して表示装置１０００が導出する第１補正値は、図９（ｃ）に示す例に限られない。
【００５１】
〔Ｉ−１〕水平方向の負荷の検出
表示装置１０００は、入力された映像信号に基づいて水平方向の負荷を、水平方向の一ラインの画素ごとに検出する。例えば、図７に示すラインＨ１では、輝度が一様であるので、図８（ａ）に示すように信号レベルが一定の負荷分布が得られる。また、例えば、図７に示すラインＨ２では、輝度が高い領域Ａ１、Ａ２が存在するので、図９（ａ）に示すように領域Ａ１、Ａ２に対応する信号レベルがピークを示す負荷分布が得られる。
【００５２】
〔Ｉ−２〕第１補正値の導出
表示装置１０００は、上記〔Ｉ−１〕の処理において検出された負荷に基づいて、第１補正値を画素ごとに導出する。
【００５３】
例えば、図７に示すラインＨ１およびラインＨ２では、図８（ｂ）および図９（ｂ）に示すように、表示パネルの中央部分程輝度が低下する。そこで、表示装置１０００は、輝度の低下の影響を打ち消すための第１補正値を導出する。ここで、図８（ｃ）および図９（ｃ）は、表示装置１０００が、映像信号を信号処理にて補正するための補正係数を、第１補正値として導出する例を示している。
【００５４】
より具体的には、表示装置１０００は、例えば、映像信号の信号レベルと第１補正値とが対応付けられたルックアップテーブル（Look  Up  Table）を水平方向の位置（画素に対応する位置）ごとに記憶する。そして、表示装置１０００は、上記各ルックアップテーブルを用いることによって、入力された映像信号に応じた（すなわち、上記〔Ｉ−１〕の検出結果に応じた）第１補正値を画素ごとに導出する。
【００５５】
ここで、上記各ルックアップテーブルに記憶される情報は、例えば、図５に示す映像のように、各信号線（電極）における電圧降下の影響が大きな（すなわち、輝度の低下が目立つ）映像を表す映像信号を用いて発生する輝度の低下を測定することによって、予め定めることができるが、上記に限られない。例えば、上記各ルックアップテーブルに記憶される情報は、さらに、表示パネルのサイズなどの条件を適宜設定した上で定めることもできる。上記のように定められた情報をルックアップテーブルに記憶することによって、表示装置１０００は、例えば、表示装置１０００が備える表示パネルのサイズなどの各種条件に対応する第１補正値を一意に導出することができる。
【００５６】
表示装置１００は、例えば、上記〔Ｉ−１〕の処理、および〔Ｉ−２〕の処理によって、水平方向の負荷に基づく第１補正値を画素ごとに導出することができる。
【００５７】
〔ＩＩ〕垂直方向の負荷に基づく第２補正値の導出
表示装置１０００は、入力された映像信号に基づいて、垂直方向の一ラインの画素ごとに映像信号を補正するための第２補正値を、垂直方向の一ラインの各画素ごとに導出する。ここで、本発明の実施形態に係る垂直方向とは、例えば、表示装置１０００が備えるマトリクス状に配置された画素の列方向に対応する方向を指す。つまり、表示装置１０００が、図１に示す画素回路を各画素に備える場合には、垂直方向は、データ線が備えられる方向に対応する。なお、表示装置１０００が、図１に示す画素回路を各画素に備える場合において、垂直方向を走査線および電源供給線が備えられる方向とすることができることは、言うまでもない。よって、本発明の実施形態に係る垂直方向の一ラインとは、垂直方向に並ぶ一列の画素群（さらには、当該画素群に属する画素に接続される垂直方向の信号線（電極））に対応する。例えば、図７では、ラインＶ１、Ｖ２それぞれが、垂直方向の一ラインに対応する。
【００５８】
より具体的には、表示装置１０００は、以下の〔ＩＩ−１〕の処理、および〔ＩＩ−２〕の処理によって、第２補正値を導出する。以下では、図１０、図１１を適宜参照して説明する。
【００５９】
図１０は、本発明の実施形態に係る高画質化を図るためのアプローチを説明するための第４の説明図である。ここで、図１０（ａ）は、図７に示すラインＶ１における負荷を示しており、図１０（ｂ）は、ラインＶ１において起こりうる輝度の変化の例を示している。また、図１０（ｃ）は、図７に示すラインＶ１に対する第２補正値の一例を示している。なお、図１０（ｂ）、図１０（ｃ）は、説明の便宜上、誇張して表したものである。よって、図７に示すラインＶ１に対して表示装置１０００が導出する第２補正値は、図１０（ｃ）に示す例に限られない。
【００６０】
また、図１１は、本発明の実施形態に係る高画質化を図るためのアプローチを説明するための第５の説明図である。ここで、図１１（ａ）は、図７に示すラインＶ２における負荷を示しており、図１１（ｂ）は、ラインＶ２において起こりうる輝度の低下の例を示している。また、図１１（ｃ）は、図７に示すラインＶ２に対する第２補正値の一例を示している。なお、図１１（ｂ）、図１１（ｃ）は、説明の便宜上、誇張して表したものである。よって、図７に示すラインＶ２に対して表示装置１０００が導出する第２補正値は、図１１（ｃ）に示す例に限られない。
【００６１】
〔ＩＩ−１〕垂直方向の負荷の検出
表示装置１０００は、入力された映像信号に基づいて垂直方向の負荷を、垂直方向の一ラインの画素ごとに検出する。例えば、図７に示すラインＶ１では、輝度が一様であるので、図１０（ａ）に示すように信号レベルが一定の負荷分布が得られる。また、例えば、図７に示すラインＶ２では、輝度が高い領域Ａ２が存在するので、図１１（ａ）に示すように領域Ａ２に対応する信号レベルがピークを示す負荷分布が得られる。
【００６２】
〔ＩＩ−２〕第２補正値の導出
表示装置１０００は、上記〔ＩＩ−１〕の処理において検出された負荷に基づいて、第２補正値を画素ごとに導出する。
【００６３】
例えば、図７に示すラインＶ１およびラインＶ２では、図１０（ｂ）および図１１（ｂ）に示すように、表示パネルの下部程輝度が高くなる。そこで、表示装置１０００は、輝度が高くなることによる影響を打ち消すための第２補正値を導出する。ここで、図１０（ｃ）および図１１（ｃ）は、表示装置１０００が、映像信号を信号処理にて補正するための補正係数を、第２補正値として導出する例を示している。
【００６４】
より具体的には、表示装置１０００は、例えば、映像信号の信号レベルと第２補正値とが対応付けられたルックアップテーブルを水平方向の位置（画素に対応する位置）ごとに記憶する。そして、表示装置１０００は、上記各ルックアップテーブルを用いることによって、入力された映像信号に応じた（すなわち、上記〔ＩＩ−１〕の検出結果に応じた）第２補正値を画素ごとに導出する。ここで、上記各ルックアップテーブルに記憶される情報は、上記〔Ｉ〕の処理と同様に定めることができるが、上記に限られない。
【００６５】
表示装置１００は、例えば、上記〔ＩＩ−１〕の処理、および〔ＩＩ−２〕の処理によって、垂直方向の負荷に基づく第２補正値を画素ごとに導出することができる。
【００６６】
〔ＩＩＩ〕第１補正値および第２補正値に基づく第３補正値の導出
図８〜図１１に示すように、水平方向と垂直方向とでは、輝度変化の要因がことなるために生じうる現象も異なる場合が多々ある。そこで、表示装置１０００は、上記〔Ｉ〕の処理および〔ＩＩ〕の処理において第１補正値および第２補正値が画素ごとに導出されると、表示画面を構成する各画素ごとに映像信号を補正するための第３補正値を、画素ごとに導出する。ここで、表示装置１０００は、例えば、以下の数式１によって、第３補正値を画素ごとに導出する。数式１によって第３補正値を導出することによって、表示装置１０００は、水平方向および垂直方向それぞれの輝度の変化の影響を抑えることができる。なお、本発明の実施形態に係る表示装置１０００における第３補正値の導出方法は、上記に限られない。例えば、表示装置１０００は、第１補正値と第２補正値との平均値を第３補正値とすることもできる。
【００６７】
第３補正値＝（第１補正値）×（第２補正値）
・・・（数式１）
【００６８】
〔ＩＶ〕映像信号の補正
表示装置１０００は、上記〔ＩＩＩ〕の処理によって画素ごとに導出された第３補正値に基づいて、映像信号を補正する。より具体的には、表示装置１０００は、例えば、以下の〔ＩＶ−１〕の処理、または〔ＩＶ−２〕の処理によって映像信号を補正するが、以下に限られない。
【００６９】
〔ＩＶ−１〕第１の補正方法：信号処理による補正
表示装置１０００は、上記〔ＩＩＩ〕の処理によって画素ごとに導出された第３補正値に基づいて、入力された映像信号を信号処理によって補正する。より具体的には、表示装置１０００は、例えば、入力された映像信号と第３補正値とを乗算することによって、映像信号のゲインを画素ごとに補正する。ここで、第１の補正方法は、後述する第１の実施形態に係る表示装置１００に適用される。
【００７０】
〔ＩＶ−２〕第２の補正方法：映像信号からデータ電圧への変換のためのオフセット値の設定
上記〔ＩＶ−１〕では、表示装置１０００における映像信号の補正方法として、信号処理によって映像信号を補正する方法を示した。しかしながら、本発明の実施形態に係る映像信号の補正方法は、信号処理に限られない。例えば、表示装置１０００は、映像信号からデータ電圧への変換を規定するオフセット値を設定することによって、映像信号を補正することもできる。図１に示すように、表示装置１０００が備える各画素は、映像信号に応じたデータ電圧Ｖｄａｔａが駆動トランジスタＴｒ１のゲート端子に印加されることによって、映像信号が表す映像を表示画面に表示させる。したがって、表示装置１０００は、各画素に印加するデータ電圧Ｖｄａｔａを、第３調整値に応じて映像信号から変換された電圧とすることによって、映像信号の補正を行うこともできる。より具体的には、表示装置１０００は、例えば、ドライブスキャナが備えるＤ／Ａコンバータ（Digital  to  Analog  converter）に与えるオフセット値を第３補正値とすることによって、第３補正値に応じたデータ電圧Ｖｄａｔａを各画素に印加することができる（すなわち、映像信号の補正に相当する）。ここで、第２の補正方法は、後述する第２の実施形態に係る表示装置２００に適用される。
【００７１】
表示装置１０００は、例えば、〔ＩＶ−１〕の処理、または〔ＩＶ−２〕の処理によって、映像信号を補正する。ここで、表示装置１０００は、水平方向における負荷に基づく第１補正値と垂直方向における負荷に基づく第２補正値とから導出された第３補正値に基づいて、画素ごとに映像信号の補正を行う。したがって、表示装置１０００は、例えば図６に示すような水平方向および垂直方向それぞれの輝度の変化の影響を抑えることができるので、高画質化を図ることができる。
【００７２】
本発明の実施形態に係る表示装置１０００は、例えば、上記〔Ｉ〕の処理（水平方向の負荷に基づく第１補正値の導出）〜〔ＩＶ〕の処理（映像信号の補正）を行うことによって、入力された映像信号に基づいて表示画面の水平方向および垂直方向それぞれの負荷を検出し、高画質化を図る。
【００７３】
（本発明の実施形態に係る表示装置１０００）
次に、上述した高画質化を図るためのアプローチを実現することが可能な、表示装置１０００の構成について説明する。以下では、表示装置１０００に映像信号が入力されるものとして説明するが、表示装置１０００に入力される映像信号は、静止画像を示すものであってもよいし、または、動画像であってもよい。また、表示装置１０００に入力される映像信号は、例えば、放送局から送信され表示装置１０００が受信したものとすることができるが、上記に限られない。例えば、表示装置１０００に入力される映像信号は、ＬＡＮ（Local  Area  Network）などのネットワークを介して外部装置から送信され表示装置１０００が受信したものであってもよいし、または、表示装置１０００が備える記憶部（図示せず）に保持された映像ファイルや画像ファイルを表示装置１０００が読み出したものであってもよい。さらに、以下では、表示装置１０００に入力される映像信号が、例えば、デジタル放送などで用いられるデジタル信号であるとして説明するが、上記に限られず、例えば、アナログ放送などで用いられるアナログ信号とすることもできる。
【００７４】
［第１の実施形態］
図１２は、本発明の第１の実施形態に係る表示装置１００を示す説明図である。ここで、図１２は、上述した高画質化のためのアプローチのうち、第１の補正方法（上記〔ＩＶ−１〕）を用いて映像信号を補正する構成を示している。
【００７５】
図１２を参照すると、表示装置１００は、映像信号補正部１０２と、表示部１０４とを備える。なお、本発明の実施形態は、上記の構成に限られず、例えば、以下に示す映像信号補正部１０２を独立の装置（映像信号処理装置）として実現することもできる。上記の場合、本発明の実施形態は、映像信号処理装置と、補正された映像信号に応じた映像を表示する表示装置とを有する映像表示システムを構成する。
【００７６】
また、表示装置１００は、例えば、ＭＰＵ（Micro  Processing  Unit）などで構成され表示装置１００全体を制御する制御部（図示せず）や、制御部が使用するプログラムや演算パラメータなどの制御用データが記録されたＲＯＭ（Read  Only  Memory。図示せず）、制御部により実行されるプログラムなどを一次記憶するＲＡＭ（Random  Access  Memory。図示せず）、放送局などから送信される映像信号を受信する受信部（図示せず）、映像ファイルや画像ファイルなどを記憶可能な記憶部（図示せず）、ユーザが操作可能な操作部（図示せず）、外部装置（図示せず）と通信を行うための通信部（図示せず）などを備えてもよい。表示装置１００は、例えば、データの伝送路としてのバス（bus）により上記各構成要素間を接続する。
【００７７】
ここで、記憶部（図示せず）としては、例えば、ハードディスク（Hard  Disk）などの磁気記録媒体や、ＥＥＰＲＯＭ（Electrically  Erasable  and  Programmable  Read  Only  Memory）、フラッシュメモリ（flash  memory）、ＭＲＡＭ（Magnetoresistive  Random  Access  Memory）、ＦｅＲＡＭ（Ferroelectric  Random  Access  Memory）、ＰＲＡＭ(Phase  change  Random  Access  Memory)などの不揮発性メモリ（nonvolatile  memory）が挙げられるが、上記に限られない。また、操作部（図示せず）としては、例えば、キーボードやマウスなどの操作入力デバイスや、ボタン、方向キー、あるいは、これらの組み合わせなどが挙げられるが、上記に限られない。
【００７８】
また、表示装置１００と外部装置（図示せず）とは、例えば、ＵＳＢ（Universal  Serial  Bus）端子やＩＥＥＥ１３９４規格の端子、ＤＶＩ（Digital  Visual  Interface）端子、あるいはＨＤＭＩ（High-Definition  Multimedia  Interface）端子などを介して物理的に接続されてもよいし、また、ＷＵＳＢ（Wireless  Universal  Serial  Bus）やＩＥＥＥ８０２．１１などを利用して無線で接続することもできる。さらに、表示装置１００と外部装置（図示せず）とは、例えば、ネットワークを介して接続することもできる。ネットワークとしては、例えば、ＬＡＮやＷＡＮ（Wide  Area  Network）など有線ネットワーク、ＭＩＭＯ（Multiple-Input  Multiple-Output）を用いたＷＬＡＮ（Wireless  Local  Area  Network）などの無線ネットワーク、あるいは、ＴＣＰ／ＩＰ（Transmission  Control  Protocol/Internet  Protocol）などの通信プロトコルを用いたインターネットなどが挙げられるが、上記に限られない。したがって、通信部（図示せず）は、外部装置（図示せず）との接続形態に応じたインタフェースを有する。
【００７９】
映像信号補正部１０２は、入力された映像信号に基づいて映像信号を補正する。より具体的には、映像信号補正部１０２は、上述した〔Ｉ〕の処理（水平方向の負荷に基づく第１補正値の導出）、〔ＩＩ〕の処理（垂直方向の負荷に基づく第２補正値の導出）、〔ＩＩＩ〕の処理（第１補正値および第２補正値に基づく第３補正値の導出）、および〔ＩＶ−１〕の処理（第１の補正方法）を行うことによって、映像信号を信号処理により補正する。以下、映像信号補正部１０２の構成についてより具体的に説明する。
【００８０】
〔映像信号補正部１０２〕
図１３は、本発明の実施形態に係る映像信号補正部１０２の構成の一例を示す説明図である。図１３を参照すると、映像信号補正部１０２は、第１補正値導出部１１０と、第２補正値導出部１１２と、第３補正値導出部１１４と、信号補正部１１６とを備える。ここで、映像信号補正部１０２は、例えば、専用の信号処理回路で実現することができるが、上記に限られない。例えば、表示装置１００は、映像信号補正部１０２をソフトウェア（信号処理ソフトウェア）で実現することができ、また、上記制御部（図示せず）が映像信号補正部１０２の役目を果たすこともできる。
【００８１】
第１補正値導出部１１０は、水平方向負荷検出部１２０と、水平方向補正値導出部１２２とを備え、上述した〔Ｉ〕の処理（水平方向の負荷に基づく第１補正値の導出）を行う役目を果たす。
【００８２】
水平方向負荷検出部１２０は、上述した〔Ｉ−１〕の処理を行う役目を果たし、入力された映像信号に基づいて水平方向の負荷を、水平方向の一ラインの画素ごとに検出する。ここで、水平方向負荷検出部１２０は、入力された映像信号に基づいて、例えば、図８（ａ）、図９（ａ）に示す負荷分布をラインごとの検出結果として出力するが、上記に限られない。
【００８３】
水平方向補正値導出部１２２は、上述した〔Ｉ−２〕の処理を行う役目を果たし、水平方向負荷検出部１２０の検出結果に基づいて第１補正値の導出する。
【００８４】
第１補正値導出部１１０は、水平方向負荷検出部１２０および水平方向補正値導出部１２２とを備えることによって、入力された映像信号に基づいて第１補正値を導出することができる。
【００８５】
第２補正値導出部１１２は、垂直方向負荷検出部１２４と、垂直方向補正値導出部１２６とを備え、上述した〔ＩＩ〕の処理（垂直方向の負荷に基づく第２補正値の導出）を行う役目を果たす。
【００８６】
垂直方向負荷検出部１２４は、上述した〔ＩＩ−１〕の処理を行う役目を果たし、入力された映像信号に基づいて垂直方向の負荷を、垂直方向の一ラインの画素ごとに検出する。ここで、垂直方向負荷検出部１２４は、入力された映像信号に基づいて、例えば、図１０（ａ）、図１１（ａ）に示す負荷分布をラインごとの検出結果として出力するが、上記に限られない。
【００８７】
垂直方向補正値導出部１２６は、上述した〔ＩＩ−２〕の処理を行う役目を果たし、垂直方向負荷検出部１２４の検出結果に基づいて第２補正値の導出する。
【００８８】
第２補正値導出部１１２は、垂直方向負荷検出部１２４および垂直方向補正値導出部１２６とを備えることによって、入力された映像信号に基づいて第２補正値を導出することができる。
【００８９】
第３補正値導出部１１４は、上述した〔ＩＩＩ〕の処理（第１補正値および第２補正値に基づく第３補正値の導出）を行う役目を果たし、第１補正値導出部１１０が導出した第１補正値および第２補正値導出部１１２が導出した第２補正値に基づいて、第３補正値を画素ごとに導出する。
【００９０】
ここで、図１３では示していないが、第３補正値導出部１１４は、さらに、入力される映像信号が示す輝度の大きさに基づいて第３補正値を導出することもできる。図１４は、本発明の実施形態に係る第３補正値導出部１１４における第３補正値の導出方法の他の例を説明するための説明図である。図１４に示すように、第３補正値導出部１１４は、入力される映像信号が示す輝度が所定の閾値ＴＨより大きい場合には、入力される映像信号が示す輝度が大きい程輝度の低減率がより大きくなるように、第３補正値を設定する。ここで、第３補正値導出部１１４は、例えば、映像信号の輝度の値と第３補正値の調整値とが対応付けられたルックアップテーブルを用いることによって、第３補正値を調整するため調整値を導出する。そして、第３補正値導出部１１４は、例えば、上記数式１で導出された第３補正値に対して、上記調整値を加算、あるいは乗算などの所定の演算を行うことによって、映像信号が示す輝度の大きさに基づく第３補正値を画素ごとに設定することができる。
【００９１】
図６に示すような輝度の変化の影響は、特に輝度が高い領域において目立ちやすい。よって、第３補正値導出部１１４が、図１４に示すように非線形な補正を行うための第３補正値を導出することによって、表示画面に映る映像をみるユーザが感じる輝度の変化をより低減することができる。したがって、第３補正値導出部１１４が、図１４に示すように非線形な補正を行うための第３補正値を導出する場合には、より高画質化を図ることができる。
【００９２】
信号補正部１１６は、上述した〔ＩＶ−１〕の処理（第１の補正方法）を行う役目を果たし、第３補正値導出部１１４が導出した画素ごとの第３補正値に基づいて、入力された映像信号のゲインを補正する。そして、信号補正部１１６は、補正後の映像信号を出力する。
【００９３】
映像信号補正部１０２は、例えば、図１３に示す構成によって、入力された映像信号に基づいて映像信号を補正することができる。
【００９４】
表示部１０４は、表示パネル１３０と、駆動電圧供給部１３２と、スキャンドライバ１３４と、データドライバ１３６と、表示制御部１３８とを備え、映像信号補正部１０２から出力される映像信号に応じた映像を表示画面に表示する。
【００９５】
表示パネル１３０は、ｐ×ｑ（ｐ、ｑはそれぞれ２以上の自然数。）のマトリクス状に画素が配置され、映像を表示する表示画面の役目を果たす。例えば、ＳＤ（Standard  Definition）解像度の映像を表示する表示パネルは、少なくとも６４０×４８０＝３０７２００（データ線×走査線）の画素を有し、カラー表示のために当該画素が赤（Red）、緑（Green）、青（Blue）のサブピクセル（sub  pixel）からなる場合には、６４０×４８０×３＝９２１６００（データ線×走査線×サブピクセルの数）のサブピクセルを有する。。同様に、例えば、ＨＤ（High  Definition）解像度の映像を表示する表示パネルは、１９２０×１０８０の画素を有し、カラー表示の場合には、１９２０×１０８０×３のサブピクセルを有する。ここで、図１２では、表示パネル１３０が備える画素として、画素１４０Ａ〜画素１４０Ｄを示している。
【００９６】
画素１４０Ａ〜画素１４０Ｄそれぞれには、スキャンドライバ１３４から出力される選択電圧Ｖｓｅｌｅｃｔ（選択信号）が印加される走査線ＳＬｍ（ｍは、１以上の整数。）、データドライバ１３６から出力される映像信号に応じたデータ電圧Ｖｄａｔａ（データ信号）が印加されるデータ線ＤＬｎ（ｎは、１以上の整数。）、および駆動電圧供給部１３２から出力される駆動電圧Ｖｃｃ（駆動信号）が印加される電源供給線ＶＬｍ（ｍは、１以上の整数。）が接続される。また、図１２では図示していないが、それぞれの画素は、共通電極（図１に示すＧＮＤ）と接続される。
【００９７】
また、画素１４０Ａ〜画素１４０Ｄは、例えば、図１に示すような定電流駆動の画素回路を備えることができるが、上記に限られない。例えば、画素１４０Ａ〜画素１４０Ｄは、ソースフォロアの画素回路を備えることもできる。
【００９８】
駆動電圧供給部１３２は、各画素を駆動させるための（すなわち、発光させるための）駆動電圧Ｖｃｃを、電源供給線ＶＬｍを介して表示パネル１３０の各画素へと印加する。ここで、駆動電圧供給部１３２は、例えば、表示制御部１３８から伝達される制御信号に基づいて、各電源供給線ＶＬｍへと選択的に駆動電圧Ｖｃｃを印加する。
【００９９】
スキャンドライバ１３４は、データ電圧Ｖｄａｔａを各画素へ選択的に印加させるための選択電圧Ｖｓｅｌｅｃｔを走査線ＳＬｍを介して表示パネル１３０の各画素へと印加する。ここで、スキャンドライバ１３４は、例えば、表示制御部１３８から伝達される制御信号に基づいて、各走査線ＳＬｍへと選択的に選択電圧Ｖｓｅｌｅｃｔを印加する。
【０１００】
データドライバ１３６は、映像信号に応じたデータ電圧Ｖｄａｔａをデータ線ＤＬｎを介して表示パネル１３０の各画素へと印加する。ここで、データドライバ１３６は、例えば、表示制御部１３８から伝達される制御信号に基づいて、各データ線ＤＬｎへと選択的にデータ電圧Ｖｄａｔａを印加する。なお、図１２では、映像信号補正部１０２から出力された映像信号が、表示制御部１３８を介してデータドライバ１３６に伝達される例を示しているが、上記に限られない。例えば、データドライバ１３６には、表示制御部１３８を介さずに直接的に映像信号が伝達されてもよい。
【０１０１】
表示制御部１３８は、駆動電圧供給部１３２、スキャンドライバ１３４、およびデータドライバ１３６それぞれに対して制御信号を伝達することによって、表示画面への映像の表示の制御を行う。
【０１０２】
表示部１０４は、図１２に示す構成によって、映像信号補正部１０２から出力される映像信号に応じた映像を表示画面に表示することができる。
【０１０３】
以上のように、本発明の第１の実施形態に係る表示装置１００は、入力された映像信号を補正する映像信号補正部１０２と、補正された映像信号に基づく映像を表示する表示部１０４とを備える。映像信号補正部１０２は、上述した〔Ｉ〕の処理（水平方向の負荷に基づく第１補正値の導出）、〔ＩＩ〕の処理（垂直方向の負荷に基づく第２補正値の導出）、〔ＩＩＩ〕の処理（第１補正値および第２補正値に基づく第３補正値の導出）、および〔ＩＶ−１〕の処理（第１の補正方法）を行うことによって、映像信号を信号処理により補正する。ここで、映像信号補正部１０２は、水平方向における負荷に基づく第１補正値と垂直方向における負荷に基づく第２補正値とから導出された第３補正値に基づいて、信号処理によって画素ごとに映像信号の補正を行う。したがって、表示装置１００は、例えば図６に示すような水平方向および垂直方向それぞれの輝度の変化の影響を抑えることができるので、高画質化を図ることができる。
【０１０４】
［第２の実施形態に係る表示装置２００］
上記では、第１の実施形態に係る表示装置１００として、信号処理によって映像信号を補正する構成を示した。しかしながら、上述した高画質化を図るためのアプローチの〔ＩＶ〕の処理（映像信号の補正）において示したように、本発明の実施形態に係る映像信号の補正の方法は、信号処理による方法に限られない。そこで、次に、本発明の第２の実施形態に係る表示装置２００として、上述した高画質化のためのアプローチのうち、第２の補正方法（上記〔ＩＶ−２〕）を用いて映像信号を補正する構成について説明する。
【０１０５】
図１５は、本発明の第２の実施形態に係る表示装置２００を示す説明図である。ここで、図１５は、上述した高画質化のためのアプローチのうち、第２の補正方法（上記〔ＩＶ−２〕）を用いて映像信号を補正する構成を示している。
【０１０６】
図１５を参照すると、表示装置２００は、補正値導出部２０２と、表示部２０４とを備える。なお、本発明の実施形態は、上記の構成に限られず、例えば、補正値導出部２０２と、表示部２０４とを、それぞれ別体の装置（すなわち、映像表示システム）として実現することもできる。
【０１０７】
また、表示装置２００は、第１の実施形態に係る表示装置１００と同様に、例えば、表示装置２００全体を制御する制御部（図示せず）や、ＲＯＭ（図示せず）、ＲＡＭ（図示せず）、受信部（図示せず）、記憶部（図示せず）、操作部（図示せず）、通信部（図示せず）などを備えてもよい。表示装置２００は、例えば、データの伝送路としてのバスにより上記各構成要素間を接続する。
【０１０８】
補正値導出部２０２は、入力された映像信号に基づいて、上述した第２の補正方法（上記〔ＩＶ−２〕）を行うための補正値（第３補正値）を導出する役目を果たす。より具体的には、補正値導出部２０２は、上述した〔Ｉ〕の処理（水平方向の負荷に基づく第１補正値の導出）、〔ＩＩ〕の処理（垂直方向の負荷に基づく第２補正値の導出）、〔ＩＩＩ〕の処理（第１補正値および第２補正値に基づく第３補正値の導出）を行うことによって、映像信号を補正するための補正値を導出する。ここで、表示装置２００は、補正値導出部２０２が導出した補正値を映像信号からデータ電圧への変換を規定するオフセット値の設定に用いることによって、第１の実施形態に係る表示装置１００のように映像信号を直接的に信号処理せずに映像信号を補正する。以下、補正値導出部２０２の構成についてより具体的に説明する。
【０１０９】
〔補正値導出部２０２〕
図１６は、本発明の実施形態に係る補正値導出部２０２の構成の一例を示す説明図である。図１６を参照すると、補正値導出部２０２は、第１補正値導出部１１０と、第２補正値導出部１１２と、第３補正値導出部１１４とを備える。ここで、補正値導出部２０２は、例えば、専用の信号処理回路で実現することができるが、上記に限られない。例えば、表示装置２００は、補正値導出部２０２をソフトウェア（信号処理ソフトウェア）で実現することができ、また、上記制御部（図示せず）が補正値導出部２０２の役目を果たすこともできる。
【０１１０】
第１補正値導出部１１０、第２補正値導出部１１２、および第３補正値導出部１１４は、それぞれ図１３に示す第１の実施形態に係る第１補正値導出部１１０、第２補正値導出部１１２、および第３補正値導出部１１４と同様の機能、構成を有する。よって、補正値導出部２０２は、図１３に示す第１の実施形態に係る映像信号補正部１０２と同様に、水平方向における負荷に基づく第１補正値と垂直方向における負荷に基づく第２補正値とから第３補正値を導出することができる。
【０１１１】
補正値導出部２０２は、上記の構成によって、映像信号を補正するための補正値（第３補正値）を画素ごとに導出することができる。
【０１１２】
表示部２０４は、表示パネル１３０と、駆動電圧供給部１３２と、スキャンドライバ１３４と、データドライバ２１０と、表示制御部１３８とを備える。表示部２０４は、補正値導出部２０２から伝達される画素ごとの補正値に基づいて入力される映像信号を補正し、補正された映像信号に応じた映像を表示画面に表示する。
【０１１３】
表示パネル１３０、駆動電圧供給部１３２、スキャンドライバ１３４、および表示制御部１３８は、それぞれ図１２に示す第１の実施形態に係る駆動電圧供給部１３２、スキャンドライバ１３４、および表示制御部１３８と同様の機能、構成を有する。
【０１１４】
データドライバ２１０は、上記〔ＩＶ−２〕の処理（第２の補正方法）を行う役目を果たし、補正値導出部２０２から伝達される画素ごとの補正値と、入力される映像信号に基づいて、映像信号を補正する。ここで、データドライバ２１０は、例えば、伝達される補正値を、映像信号をデータ電圧Ｖｄａｔａへと変換するＤ／Ａコンバータに与えるオフセット値として用いることによって、映像信号の補正を行う。ここで、データドライバ２１０は、第１の実施形態に係る映像信号補正部１０２のように映像信号を直接的に信号処理することによって補正は行わない。しかしながら、データドライバ２１０は、映像信号からデータ電圧Ｖｄａｔａへの変換を規定するオフセット値を補正値に応じて変更することによって、補正値に応じて補正されたデータ電圧Ｖｄａｔａを各画素へと印加することができるので、信号処理による映像信号の補正と同様の効果を奏することができる。
【０１１５】
表示部２０４は、上記のような構成によって、補正値導出部２０２から伝達される画素ごとの補正値に基づいて入力される映像信号を補正し、補正された映像信号に応じた映像を表示画面に表示することができる。
【０１１６】
以上のように、本発明の第２の実施形態に係る表示装置２００は、入力された映像信号に基づく補正値を画素ごとに導出する補正値導出部２０２と、導出された補正値に基づいて映像信号を補正して映像信号に応じた映像を表示する表示部２０４とを備える。補正値導出部２０２は、上述した〔Ｉ〕の処理（水平方向の負荷に基づく第１補正値の導出）、〔ＩＩ〕の処理（垂直方向の負荷に基づく第２補正値の導出）、および〔ＩＩＩ〕の処理（第１補正値および第２補正値に基づく第３補正値の導出）を行うことによって、補正値を画素ごとに導出する。ここで、補正値導出部２０２は、第１の実施形態に係る表示装置１００と同様に、水平方向における負荷に基づく第１補正値と垂直方向における負荷に基づく第２補正値とから補正値（第３補正値）を導出する。また、表示部２０４は、上述した〔ＩＶ−２〕の処理（第２の補正方法）を行うことによって、映像信号を補正する。ここで、表示部２０４は、映像信号からデータ電圧Ｖｄａｔａへの変換を規定するオフセット値を補正値に応じて変更することによって映像信号を補正する。上記によって、表示部２０４は、補正値に応じて補正されたデータ電圧Ｖｄａｔａを各画素へと印加することができるので、第１の実施形態に係る信号処理による映像信号の補正と同様の効果を奏することができる。したがって、表示装置２００は、例えば図６に示すような水平方向および垂直方向それぞれの輝度の変化の影響を抑えることができるので、高画質化を図ることができる。
【０１１７】
本発明の実施形態に係る表示装置１０００は、例えば、上述した第１の実施形態に係る表示装置１００や、第２の実施形態に係る表示装置２００に示す構成によって、入力された映像信号に基づいて表示画面の水平方向および垂直方向それぞれの負荷を検出し、高画質化を図ることができる。
【０１１８】
以上、本発明の実施形態として、表示装置１００、表示装置２００を挙げて説明したが、本発明の実施形態は、かかる形態に限られない。例えば、本発明の実施形態は、例えば、有機ＥＬディスプレイやＬＣＤ、ＰＤＰなどのように画素がマトリクス状に配置された表示装置や、テレビジョン（Television）放送を受信する受信装置、外部または内部に表示手段を有するＰＣ（Personal  Computer）などのコンピュータ、携帯電話などの携帯型通信装置など、様々な機器に適用することができる。
【０１１９】
（本発明の実施形態の表示装置に係るプログラム）
コンピュータを、本発明の実施形態に係る表示装置１００として機能させるためのプログラムによって、入力された映像信号に基づいて表示画面の水平方向および垂直方向それぞれの負荷を検出し、高画質化を図ることができる。より具体的には、上記プログラムは、例えば、コンピュータを映像信号補正部１０２として機能させる。
【０１２０】
（本発明の実施形態に係る映像信号の補正方法）
次に、本発明の実施形態に係る映像信号の補正方法について説明する。図１７は、本発明の実施形態に係る映像信号の補正方法の一例を示す流れ図である。以下では、本発明の実施形態に係る映像信号の補正方法を表示装置１０００が行うものとして説明する。
【０１２１】
表示装置１０００は、入力された映像信号に基づいて水平方向の負荷を検出する（Ｓ１００）。ここで、表示装置１０００は、例えば、図８（ａ）、図９（ａ）に示す負荷分布をラインごとの検出結果として出力するが、上記に限られない。
【０１２２】
ステップＳ１００において水平方向の負荷が検出されると、表示装置１０００は、検出された水平方向の負荷に基づいて、第１補正値を対応する画素ごとに導出する（Ｓ１０２）。ここで、表示装置１０００は、例えば、映像信号の信号レベルと第１補正値とが対応付けられたルックアップテーブルを用いることによって、入力された映像信号に応じた第１補正値を画素ごとに導出する。
【０１２３】
表示装置１０００は、入力された映像信号に基づいて垂直方向の負荷を検出する（Ｓ１０４）。ここで、表示装置１０００は、例えば、図１０（ａ）、図１１（ａ）に示す負荷分布をラインごとの検出結果として出力するが、上記に限られない。
【０１２４】
ステップＳ１０４において水平方向の負荷が検出されると、表示装置１０００は、検出された垂直方向の負荷に基づいて、第２補正値を対応する画素ごとに導出する（Ｓ１０６）。ここで、表示装置１０００は、ステップＳ１０２と同様に、例えば、映像信号の信号レベルと第２補正値とが対応付けられたルックアップテーブルを用いることによって、入力された映像信号に応じた第２補正値を画素ごとに導出する。
【０１２５】
なお、図１７では、ステップＳ１００、Ｓ１０２の処理の後にステップＳ１０４、Ｓ１０６の処理が行われる例を示しているが、ステップＳ１００、Ｓ１０２の処理とステップＳ１０４、Ｓ１０６の処理とはそれぞれ独立に行うことができる。したがって、表示装置１０００は、ステップＳ１００、Ｓ１０２の処理とステップＳ１０４、Ｓ１０６の処理とを同期して行うことができ、また、ステップＳ１０４、Ｓ１０６の処理の後にステップＳ１００、Ｓ１０２の処理を行うこともできる。
【０１２６】
ステップＳ１０２、Ｓ１０６において、第１補正値および第２補正値が導出されると、表示装置１０００は、第１補正値および第２補正値に基づいて第３補正値を対応する画素ごとに導出する（Ｓ１０８）。ここで、表示装置１０００は、例えば、上記数式１によって第３補正値を導出するが、上記に限られない。
【０１２７】
ステップＳ１０８において第３補正値が導出されると、表示装置１０００は、第３補正値に基づいて映像信号を補正する（Ｓ１１０）。ここで、表示装置１０００は、第３補正値に基づいて入力された映像信号のゲインを信号処理によって調整することによって、映像信号を補正することができる（第１の実施形態に係る表示装置１００に対応）が、上記に限られない。例えば、表示装置１０００は、映像信号からデータ電圧Ｖｄａｔａへの変換を規定するオフセット値を第３補正値に応じて変更することによって、信号処理を用いずに映像信号の補正を行うことができる（第２の実施形態に係る表示装置２００に対応）。
【０１２８】
表示装置１０００は、例えば図１７に示す方法を用いることによって、入力された映像信号に基づいて表示画面の水平方向および垂直方向それぞれの負荷を検出し、高画質化を図ることができる。
【０１２９】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【０１３０】
例えば、本発明の実施形態に係る表示装置１０００では、入力される映像信号がデジタル信号であるとして説明したが、かかる形態に限られない。例えば、本発明の実施形態に係る表示装置が、例えば、Ａ／Ｄコンバータ（Analog  to  Digital  converter）を備え、入力されるアナログ信号（映像信号）をデジタル信号に変換して、当該変換後の映像信号を処理してもよい。また、本発明の実施形態に係る表示装置は、例えば、各構成要素をアナログ回路で構成することにより、アナログ信号（映像信号）を処理することもできる。
【０１３１】
上述した構成は、本発明の実施形態の一例を示すものであり、当然に、本発明の技術的範囲に属するものである。
【図面の簡単な説明】
【０１３２】
【図１】本発明の実施形態に係る表示装置が備える画素回路の一例を示す説明図である。
【図２】本発明の実施形態に係る表示装置における走査線の構成の一例を説明するための説明図である。
【図３】本発明の実施形態に係る表示装置におけるデータ線の構成の一例を説明するための説明図である。
【図４】本発明の実施形態に係る表示装置における電源供給線の構成の一例を説明するための説明図である。
【図５】本発明の実施形態に係る画質の低下を説明するための第１の説明図である。
【図６】本発明の実施形態に係る画質の低下を説明するための第２の説明図である。
【図７】本発明の実施形態に係る高画質化を図るためのアプローチを説明するための第１の説明図である。
【図８】本発明の実施形態に係る高画質化を図るためのアプローチを説明するための第２の説明図である。
【図９】本発明の実施形態に係る高画質化を図るためのアプローチを説明するための第３の説明図である。
【図１０】本発明の実施形態に係る高画質化を図るためのアプローチを説明するための第４の説明図である。
【図１１】本発明の実施形態に係る高画質化を図るためのアプローチを説明するための第５の説明図である。
【図１２】本発明の第１の実施形態に係る表示装置を示す説明図である。
【図１３】本発明の実施形態に係る映像信号補正部の構成の一例を示す説明図である。
【図１４】本発明の実施形態に係る第３補正値導出部における第３補正値の導出方法の他の例を説明するための説明図である。
【図１５】本発明の第２の実施形態に係る表示装置を示す説明図である。
【図１６】本発明の実施形態に係る補正値導出部の構成の一例を示す説明図である。
【図１７】本発明の実施形態に係る映像信号の補正方法の一例を示す流れ図である。
【符号の説明】
【０１３３】
１００、２００、１０００    表示装置
１０２    映像信号補正部
１０４、２０４    表示部
１１０    第１補正値導出部
１１２    第２補正値導出部
１１４    第３補正値導出部
１１６    信号補正部
１２０    水平方向負荷検出部
１２２    水平方向補正値導出部
１２４    垂直方向負荷検出部
１２６    垂直方向補正値導出部
１３０    表示パネル
１３２    駆動電圧供給部
１３４    スキャンドライバ
１３６、２１０    データドライバ
１３８    表示制御部
【図１】
2010039046.tif 000003
【図２】
2010039046.tif 000004
【図３】
2010039046.tif 000005
【図４】
2010039046.tif 000006
【図８】
2010039046.tif 000007
【図９】
2010039046.tif 000008
【図１０】
2010039046.tif 000009
【図１１】
2010039046.tif 000010
【図１２】
2010039046.tif 000011
【図１３】
2010039046.tif 000012
【図１４】
2010039046.tif 000013
【図１５】
2010039046.tif 000014
【図１６】
2010039046.tif 000015
【図１７】
2010039046.tif 000016
【図５】
2010039046.tif 000017
【図６】
2010039046.tif 000018
【図７】
2010039046.tif 000019